【手続補正書】
【提出日】平成19年8月1日(2007.8.1)
【手続補正１】
【補正対象書類名】明細書
【補正対象項目名】特許請求の範囲
【補正方法】変更
【補正の内容】
【特許請求の範囲】
【請求項１】  結着樹脂及び着色剤を少なくとも含有するトナー粒子、及び該トナー粒子と混合されている［１］平均一次粒径が８０〜８００ｎｍであり、チタン，アルミニウム，亜鉛及びジルコニウムからなるグループから選択される金属の酸化物無機微粒子（１）、［２］平均一次粒径が８０ｎｍ未満のシリカ以外の無機微粒子（２）、及び、［３］平均一次粒径が３０ｎｍ未満のシリカ微粒子を有することを特徴とするトナー。
【請求項２】  該無機微粒子（１）は、１００〜５００ｎｍの平均一次粒径を有することを特徴とする請求項１に記載のトナー。
【請求項３】  該無機微粒子（１）は、絶対値で１０ｍＣ／ｋｇ以下の帯電量を有することを特徴とする請求項１又は２に記載のトナー。
【請求項４】  該無機微粒子（１）は、酸化チタン微粒子、酸化アルミニウム微粒子及びそれらの混合物からなるグループから選択されるの無機酸化物微粒子を含むことを特徴とする請求項１乃至３のいずれかに記載のトナー。
【請求項５】  該無機微粒子（２）は、７０ｎｍ以下の平均一次粒径を有することを特徴とする請求項１乃至４のいずれかに記載のトナー。
【請求項６】  該無機微粒子（２）は、２５〜７０ｎｍの平均一次粒径を有することを特徴とする請求項１乃至４のいずれかに記載のトナー。
【請求項７】  該無機微粒子（２）は、酸化チタン微粒子、酸化アルミニウム微粒子及びそれらの混合物からなるグループから選択される無機酸化物微粒子を含むことを特徴とする請求項１乃至６のいずれかに記載のトナー。
【請求項８】  該無機微粒子（１）は、未処理の無機微粒子を含み、該無機微粒子（２）は、疎水化処理された無機微粒子を含むことを特徴とする請求項１乃至７のいずれかに記載のトナー。
【請求項９】  該無機微粒子（１）は、未処理の酸化チタン微粒子を含み、該無機微粒子（２）は、疎水化処理された酸化チタン微粒子を含むことを特徴とする請求項１乃至７のいずれかに記載のトナー。
【請求項１０】  該無機微粒子（１）は、未処理の無機微粒子を含み、該無機微粒子（２）は、疎水化処理された無機微粒子及び未処理の無機微粒子を含むことを特徴とする請求項１乃至７のいずれかに記載のトナー。
【請求項１１】  該無機微粒子（１）は、未処理の酸化チタン微粒子を含み、該無機微粒子（２）は、疎水化処理された酸化チタン微粒子及び未処理の酸化アルミニウム微粒子を含むことを特徴とする請求項１乃至７のいずれかに記載のトナー。
【請求項１２】  該トナーは、トナー粒子の質量基準で、該無機微粒子（１）を０．０５〜５質量％、該無機微粒子（２）を０．０１〜１．０質量％及び該シリカ微粒子を０．２〜５．０質量％有していることを特徴とする請求項１乃至１１のいずれかに記載のトナー。
【請求項１３】  該無機微粒子（１）、該無機微粒子（２）及び該シリカ微粒子のトナー中の含有質量割合は、下記条件：
該無機微粒子（１）、該無機微粒子（２）及び該シリカ微粒子＝
１：（０．０１〜１）：（０．１〜６）
を満足することを特徴とする請求項１２に記載のトナー。
【請求項１４】  該無機微粒子（１）、該無機微粒子（２）及び該シリカ微粒子のトナー中の含有質量割合は、下記条件：
該無機微粒子（１）、該無機微粒子（２）及び該シリカ微粒子＝
１：（０．０２〜０．９）：（０．２〜５．６）
を満足することを特徴とする請求項１２に記載のトナー。
【請求項１５】  該シリカ微粒子は、シランカップリング剤及び／又はシリコーンオイルで処理されていることを特徴とする請求項１乃至１４のいずれかに記載のトナー。
【請求項１６】  該トナーは、４〜８μｍの重量平均粒径を有し、且つ、４μｍ以下のトナー粒子を３〜２０個数％有していることを特徴とする請求項１乃至１５のいずれかに記載のトナー。
【請求項１７】  該トナーの示差熱分析における昇温時の吸熱曲線において、６０〜９０℃の温度領域に少なくとも一つの吸熱ピークが存在することを特徴とする請求項１乃至１６のいずれかに記載のトナー。
【請求項１８】  該吸熱ピークの半値幅が１０℃以下であることを特徴とする請求項１７に記載のトナー。
【請求項１９】  該吸熱ピークの半値幅が６℃以下であることを特徴とする請求項１７に記載のトナー。
【請求項２０】  該トナーは、示差熱分析における昇温時の吸熱曲線において、６０〜９０℃の温度領域に少なくとも一つの吸熱ピークを有するワックスを含有していることを特徴とする請求項１乃至１９のいずれかに記載のトナー。
【請求項２１】  該トナーは、該ワックスを０．３〜３０質量％含有していることを特徴とする請求項２０に記載のトナー。
【請求項２２】  該トナーは、結着樹脂としてスチレン系ポリマーを含有することを特徴とする請求項１乃至２１のいずれかに記載のトナー。
【請求項２３】  該トナーのゲルパーミエーションクロマトグラフィー（ＧＰＣ）測定での分子量分布において、ピーク分子量が分子量１５０００〜３００００の領域に存在することを特徴とする請求項１乃至２２のいずれかに記載のトナー。
【請求項２４】  該トナーは、１０ｍｇＫＯＨ／ｇ以下の酸価を有することを特徴とする請求項１乃至２３のいずれかに記載のトナー。
【請求項２５】  該トナーは、４０〜８０ｍＣ／ｋｇの帯電量の絶対値を有することを特徴とする請求項１乃至２４のいずれかに記載のトナー。
【請求項２６】  該トナーは、１００〜１７０の形状係数ＳＦ−１、及び１００〜１４０の形状係数ＳＦ−２を有していることを特徴とする請求項１乃至２５のいずれかに記載のトナー。
【請求項２７】  該トナーは、１００〜１２０の形状係数ＳＦ−１、及び１００〜１１５の形状係数ＳＦ−２を有していることを特徴とする請求項１乃至２５のいずれかに記載のトナー。
【請求項２８】  該トナー粒子は、重合性単量体及び着色剤を少なくとも含有する重合性単量体組成物を水系媒体中で造粒及び重合する工程を経て製造されることを特徴とする請求項１乃至２７のいずれかに記載のトナー。
【請求項２９】  該トナーは、該着色剤として染料及び／又は顔料を含有する非磁性トナー粒子を有する非磁性トナーであることを特徴とする請求項１乃至２８のいずれかに記載のトナー。
【請求項３０】  結着樹脂及び着色剤を少なくとも含有するトナー粒子と、無機微粒子（１）とを混合分散してトナー前駆体を得る第一混合分散工程；及び得られた該トナー前駆体と、無機微粒子（２）及びシリカ微粒子とを混合分散してトナーを得る第二混合分散工程を有するトナーの製造方法において、
該無機微粒子（１）は、平均一次粒径が８０〜８００ｎｍであり、チタン，アルミニウム，亜鉛及びジルコニウムからなるグループから選択される金属の酸化物であり、
該無機微粒子（２）は、平均一次粒径が８０ｎｍ未満のシリカ以外の無機微粒子であり、
該シリカ微粒子は、平均一次粒径が３０ｎｍ未満であることを特徴とするトナーの製造方法。
【請求項３１】  該トナーは、請求項２乃至２９のいずれかに記載のトナーであることを特徴とする請求項３０に記載のトナーの製造方法。
【請求項３２】  該第一混合分散工程において、＜１＞該トナー粒子と、＜２＞該無機微粒子（１）と、＜３＞Ｘ線回折において、測定角２θが６乃至４０ｄｅｇｒｅｅの範囲に、測定強度が１００００ｃｐｓ以上であり、かつ半値半幅が０．３ｄｅｇｒｅｅ以下であるピークを有さない低結晶性または非晶性の芳香族化合物の金属錯化合物、金属塩、または、金属錯化合物と金属塩との混合物とを混合分散してトナー前駆体を得ることを特徴とする請求項３０又は３１に記載のトナーの製造方法。
【請求項３３】  該第一混合分散工程において、＜１＞該トナー粒子と、＜２＞無機微粒子（１）と、＜３＞オキシカルボン酸化合物の金属錯化合物、金属塩、または、金属錯化合物と金属塩との混合物とを混合分散してトナー前駆体を得ることを特徴とする請求項３０乃至３２のいずれかに記載のトナーの製造方法。
【請求項３４】  該オキシカルボン酸化合物の金属錯化合物、金属塩、または、金属錯化合物と金属塩との混合物の中心金属が、アルミニウムまたはジルコニウムであることを特徴とする請求項３３に記載のトナーの製造方法。
【請求項３５】  （Ｉ）供給ローラーによりトナー担持体上に非磁性トナーを供給する工程；
（ＩＩ）潜像担持体に形成された静電荷潜像を該トナー担持体上に形成されたトナー層の非磁性トナーで現像し、現像画像を形成する工程；
（ＩＩＩ）該トナー担持体上の非磁性トナーをトナー塗布ブレードで押圧してトナー担持体上にトナー層を形成すると共に、該非磁性トナーを摩擦させて該非磁性トナーに電荷を付与する工程；
（ＩＶ）現像画像を転写材に転写する工程；及び
（Ｖ）転写された現像画像を定着する工程を有する画像形成方法において、
該非磁性トナーは、結着樹脂及び着色剤を少なくとも含有する非磁性トナー粒子、及び該非磁性トナー粒子と混合されている［１］平均一次粒径が８０〜８００ｎｍであり、チタン，アルミニウム，亜鉛及びジルコニウムからなるグループから選択される金属の酸化物無機微粒子（１）、［２］平均一次粒径が８０ｎｍ未満のシリカ以外の無機微粒子（２）、及び、［３］平均一次粒径が３０ｎｍ未満のシリカ微粒子を有することを特徴とする画像形成方法。
【請求項３６】  該トナー担持体の回転周速は、１００〜８００ｍｍ／ｓｅｃであることを特徴とする請求項３５に記載の画像形成方法。
【請求項３７】  該トナー担持体の回転周速は、２００〜７００ｍｍ／ｓｅｃであることを特徴とする請求項３５に記載の画像形成方法。
【請求項３８】  該トナー塗布ブレードは、トナー担持体表面にポリアミド含有ゴム層を有していることを特徴とする請求項３５乃至３７のいずれかに記載の画像形成方法。
【請求項３９】  該トナー塗布ブレードは、トナー担持体側表面にショアーＤ硬度２５乃至６５度のポリアミド含有ゴム層を有していることを特徴とする請求項３５乃至３８のいずれかに記載の画像形成方法。
【請求項４０】  該潜像担持体は、有機光導電体、アモルファスシリコン、セレン又は酸化亜鉛による感光層を有していることを特徴とする請求項３５乃至３９のいずれかに記載の画像形成方法。
【請求項４１】  該現像工程において、トナー担持体に現像バイアスを印加して現像を行なうことを特徴とする請求項３５乃至４０のいずれかに記載の画像形成方法。
【請求項４２】  該現像工程において、トナー担持体に交流バイアス又はパルスバイアスを有する現像バイアスを印加して現像を行なうことを特徴とする請求項３５乃至４１のいずれかに記載の画像形成方法。
【請求項４３】  該非磁性トナーは、請求項２乃至２９のいずれかのトナーであることを特徴とする請求項３５乃至４２のいずれかに記載の画像形成方法。
【請求項４４】  （Ｉ）静電潜像を担持するための潜像担持体、該潜像担持体を一次帯電するための帯電装置、一次帯電された潜像担持体に静電潜像を形成するための露光手段、及び該静電潜像を非磁性トナーにより現像してトナー画像を形成するための現像装置を具備する複数の画像形成ユニット；及び
（ＩＩ）前記各画像形成ユニットで形成されたトナー画像を転写材に順次転写するための転写装置を有する画像形成装置において、
該非磁性トナーは、結着樹脂及び着色剤を少なくとも含有する非磁性トナー粒子、及び該非磁性トナー粒子と混合されている［１］平均一次粒径が８０〜８００ｎｍであり、チタン，アルミニウム，亜鉛及びジルコニウムからなるグループから選択される金属の酸化物無機微粒子（１）、［２］平均一次粒径が８０ｎｍ未満のシリカ以外の無機微粒子（２）、及び、［３］平均一次粒径が３０ｎｍ未満のシリカ微粒子を有することを特徴とする画像形成装置。
【請求項４５】  該複数の画像形成ユニットは、列設されていることを特徴とする請求項４４に記載の画像形成装置。
【請求項４６】  該複数の画像形成ユニットは、列設されており、該画像形成装置は、各画像形成ユニット間に該転写材を順次搬送させるための搬送手段をさらに有していることを特徴とする請求項４４に記載の画像形成装置。
【請求項４７】  該搬送手段は、搬送ベルトであることを特徴とする請求項４６に記載の画像形成装置。
【請求項４８】  該画像形成装置は、該転写材上に順次転写された多重トナー画像を該転写材に定着するための定着手段をさらに有していることを特徴とする請求項４４乃至４７のいずれかに記載の画像形成装置。
【請求項４９】  該非磁性トナーは、請求項２乃至２９のいずれかに記載のトナーであることを特徴とする請求項４４乃至４８のいずれかに記載の画像形成装置。
【請求項５０】  （Ｉ）静電潜像を担持するための潜像担持体；
（ＩＩ）該潜像担持体を一次帯電するための帯電装置；
（ＩＩＩ）一次帯電された潜像担持体に静電潜像を形成するための露光手段；
（ＩＶ）該静電潜像を非磁性トナーにより現像してトナー画像を形成するための複数の現像装置；
（Ｖ）前記各現像装置で形成されたトナー画像を順次転写するための中間転写体；及び
（ＶＩ）該中間転写体上に転写された多重トナー画像を一括して転写材に転写するための転写装置を有する画像形成装置において、
該各非磁性トナーは、結着樹脂及び着色剤を少なくとも含有する非磁性トナー粒子、及び該非磁性トナー粒子と混合されている［１］平均一次粒径が８０〜８００ｎｍであり、チタン，アルミニウム，亜鉛及びジルコニウムからなるグループから選択される金属の酸化物無機微粒子（１）、［２］平均一次粒径が８０ｎｍ未満のシリカ以外の無機微粒子（２）、及び、［３］平均一次粒径が３０ｎｍ未満のシリカ微粒子を有することを特徴とする画像形成装置。
【請求項５１】  該中間転写体は、ドラム状又はベルト状の中間転写体であることを特徴とする請求項５０に記載の画像形成装置。
【請求項５２】  該複数の現像装置は、回転可能なロータリーユニットに設けられていることを特徴とする請求項５０又は５１に記載の画像形成装置。
【請求項５３】  該中間転写体は、該潜像担持体の表面に接触させて配置されることを特徴とする請求項５０乃至５２に記載の画像形成装置。
【請求項５４】  該画像形成装置は、該潜像担持体上に形成されたトナー画像を中間転写体上に一次転写するため、中間転写体に転写電流を付与するためのバイアス印加手段をさらに有していることを特徴とする請求項５３に記載の画像形成装置。
【請求項５５】  該画像形成装置は、該転写材上に一括転写された多重トナー画像を該転写材に定着するための定着手段をさらに有していることを特徴とする請求項５０乃至５４に記載の画像形成装置。
【請求項５６】  該非磁性トナーは、請求項２乃至２９のいずれかに記載のトナーであることを特徴とする請求項５０乃至５５のいずれかに記載の画像形成装置。
【請求項５７】  （Ｉ）静電潜像を担持するための潜像担持体；
（ＩＩ）該潜像担持体を一次帯電するための帯電装置；
（ＩＩＩ）一次帯電された潜像担持体に静電潜像を形成するための露光手段；
（ＩＶ）該静電潜像を非磁性トナーにより現像してトナー画像を形成するための複数の現像装置；及び
（Ｖ）前記各現像装置で形成されたトナー画像を転写材に順次転写するための転写装置を有する画像形成装置において、
該各非磁性トナーは、結着樹脂及び着色剤を少なくとも含有する非磁性トナー粒子、及び該非磁性トナー粒子と混合されている［１］平均一次粒径が８０〜８００ｎｍであり、チタン，アルミニウム，亜鉛及びジルコニウムからなるグループから選択される金属の酸化物無機微粒子（１）、［２］平均一次粒径が８０ｎｍ未満のシリカ以外の無機微粒子（２）、及び、［３］平均一次粒径が３０ｎｍ未満のシリカ微粒子を有することを特徴とする画像形成装置。
【請求項５８】  該非磁性トナーは、請求項２乃至２９のいずれかに記載のトナーであることを特徴とする請求項５７に記載の画像形成装置。
【手続補正２】
【補正対象書類名】明細書
【補正対象項目名】００３６
【補正方法】変更
【補正の内容】
【００３６】
【課題を解決するための手段】
本発明は、結着樹脂及び着色剤を少なくとも含有するトナー粒子、及び該トナー粒子と混合されている［１］平均一次粒径が８０〜８００ｎｍであり、チタン，アルミニウム，亜鉛及びジルコニウムからなるグループから選択される金属の酸化物無機微粒子（１）、［２］平均一次粒径が８０ｎｍ未満のシリカ以外の無機微粒子（２）、及び、［３］平均一次粒径が３０ｎｍ未満のシリカ微粒子を有することを特徴とするトナーに関する。